(57)【要約】【目的】  飛んでくる魚を受け止める際に、網部を上方に立ち上げて構える操作を容易に行うことができる玉網を提供する。【構成】  魚を内部に保持可能な袋状の網部(10)と、その網部(10)の上端周縁の一部から突出し、網部(10)の直径よりも短く形成された柄(20)と、を備えた玉網(1)である。この玉網(1)の重心(G)は、柄(20)の前端(22a)から後端(23a)までに位置するとともに、柄(20)の前端(22a)から重心(G)までの長さが６．３％から２３．８％の範囲に位置するよう形成されている。このため、飛んでくる魚を受け止める際に、網部を上方に立ち上げて構える操作を容易に行うことができ、操作性の向上に寄与する。【選択図】    図１
2007195499.tif 000002
【特許請求の範囲】
【請求項１】
所定の対象物を内部に保持可能な袋状の網部と、
その網部の上端周縁の一部から突出し、網部の直径よりも短く形成された柄と、を備えた玉網であって、
前記玉網の重心が前記柄において網部を立ち上げやすい箇所となるように形成されていることを特徴とする玉網。
【請求項２】
前記玉網の重心は、前記柄の前端から後端までに位置するとともに、前記柄の前端から重心までの長さが６．３％から２３．８％の範囲に位置するよう形成されていることを特徴とする請求項１記載の玉網。
【請求項３】
前記玉網の重心は、前記柄の前端から後端までに位置するとともに、前記柄の前端から重心までの長さが１５．９％から１９．０％の範囲に位置するよう形成されていることを特徴とする請求項１記載の玉網。
【請求項４】
前記柄の後端付近には、柄の比重よりも大きな比重の重りを取り付けたことを特徴とする請求項１から請求項３のいずれかに記載の玉網。
【請求項５】
前記重りは、前記柄に対して着脱自在に形成されていることを特徴とする請求項４に記載の玉網。
【発明の詳細な説明】
【技術分野】
【０００１】
本発明は、魚釣りにて釣り人が使用する玉網の技術に関する。
【背景技術】
【０００２】
従来から、魚釣りでは釣った魚を釣り人が掬い取る玉網が使用されている。この玉網は、釣り人が釣りをしている時は、すぐに使用できるように身につけていることも多い。身につける場所としては、釣り人が腰に巻いたベルト等に玉網の柄を差し込むことにより、釣り人の身体との間に挟んで玉網を保持している。
なかでも鮎の友釣りでは、玉網における網部の中で仕掛けの準備作業をすることが多く、その場合、ベルトに玉網の柄を差し込んで挟み持つこととなる。そして、網部は、その枠部側を上にして開口を開いた状態で体の前方側に保持する。
【０００３】
この状態にすると、網部の中におとり鮎を放し、すぐに使うおとり鮎を選んだり、釣れた野鮎から針を外したり、また、おとり鮎に鼻環等の仕掛けを取り付けることができる。
また、野鮎が掛かった時は、釣り竿を立ち上げて宙を飛ばすように引き寄せ、玉網を用いて宙を飛んでくる魚を網部で受け止めて（キャッチして）釣り上げる。この時、おとり鮎と針に掛かった野鮎との両方を、玉網の網部を用いて受け止めることとなる。
【０００４】
このため、鮎の友釣りでは、ベルトにて略水平状に保持された玉網を引き抜いて、網部を立ち上げ飛んでくる魚の方向に向けて玉網を構えることとなるため、網部が大きく柄が短い玉網が用いられている。このような玉網は、柄が短いためにベルトに対する抜き差しが行いやすく、網部が大きいために、釣り上げる操作によって飛んでくる魚を確実に受け止めやすく、網部内での作業性にも優れている。
【０００５】
さて、特許文献１に開示された技術は、手網の上部を暗色の網目とし、底の部分に水漏れしない透明な袋を結合した二段構造としたものである。
【０００６】
【特許文献１】実開昭５８−７０７６６号公報
【発明の開示】
【発明が解決しようとする課題】
【０００７】
特許文献１に開示された玉網では、柄に対して網部側のほうが重くなってしまっていた。このため、釣り人がベルトから玉網を引き抜いて網部を立ち上げて構える時に、網部の立ち上げ操作が遅れてしまっていた。
また、釣り上げて飛んでくる魚の方向に対して網部を正確に向けたりすることも困難であった。この結果、飛んでくる魚の方向から網部の開口がずれてしまい、魚を受け止め損ねてしまう原因のひとつとなることがあった。
【０００８】
本発明が解決しようとする課題は、玉網に関し、釣り人が釣り上げて飛んでくる魚を受け止める際に、網部を立ち上げて構える操作を容易に行うことができるようにすることである。
請求項１から請求項５に記載の発明の目的は、釣り上げて飛んでくる魚を釣り人が受け止める際に、網部を立ち上げて構える操作を行いやすい玉網を提供することにある。
【課題を解決するための手段】
【０００９】
（請求項１）
請求項１に記載の発明は、所定の対象物を内部に保持可能な袋状の網部(10)と、その網部(10)の上端周縁の一部から突出し、網部(10)の直径よりも短く形成された柄(20)と、を備えた玉網(1)であって、前記玉網(1)の重心(G)が前記柄(20)において網部(10)を立ち上げやすい箇所となるように形成されていることを特徴とする。
なお、「所定の対象物」とは、釣り人が釣り上げる魚であり、鮎などの川魚が主である。
また、重心(G)の位置となる「網部(10)を立ち上げやすい箇所」とは、網部(10)からはやや遠い箇所である。重心が網部側にある場合には、立ち上げ操作が遅れることが判明しているからである。
【００１０】
（作用）
玉網(1)の重心(G)が前記柄(20)において網部(10)を立ち上げやすい箇所となるように形成されているので、釣り人が玉網(1)をベルトから引き抜いて、網部(10)を立ち上げるという一連の操作において、玉網(1)全体のバランスが良く、立ち上げ操作がしやすくなる。
【００１１】
（請求項２）  
請求項２に記載の発明は、請求項１記載の玉網をより具体的に限定したものである。
すなわち、前記玉網(1)の重心(G)は、前記柄(20)の前端(22a)から後端(23a)までに位置するとともに、前記柄(20)の前端(22a)から重心(G)までの長さが６．３％から２３．８％の範囲に位置するよう形成されていることを特徴とする。
【００１２】
（作用）
玉網(1)の重心(G)を、柄(20)の前端(22a)から重心(G)までの長さが６．３％から２３．８％の範囲になるように、玉網(1)の全体を形成する。このようにすれば、玉網における網部(10)を立ち上げる操作性が向上する。これにより、釣り人が飛んでくる魚を受け止める際に、網部(10)を立ち上げて構える操作を円滑な動きとすることができる。
【００１３】
（請求項３）  
請求項３に記載の発明は、請求項１記載の玉網を限定したものである。
すなわち、前記玉網(1)の重心(G)は、前記柄(20)の前端(22a)から後端(23a) までに位置するとともに、前記柄(20)の前端(22a)から重心(G)までの長さが１５．９％から１９．０％の範囲に位置するよう形成されていることを特徴とする。
【００１４】
（作用）
玉網(1)の重心(G)を、柄(20)の前端(22a)から重心(G)までの長さが１５．９％から１９．０％の範囲になるよう設定する。１５．９％から１９．０％としたのは、複数の釣り人による玉網の操作性サンプルデータから抽出したものであり、請求項２で限定した重心(G)までの長さの範囲よりも、汎用的な範囲であるからである。このようにすれば、釣り人が飛んでくる魚を受け止める際に、網部(10)を立ち上げて構える操作を円滑な動きとすることができる。
【００１５】
（請求項４）
請求項４記載の発明は、請求項１から請求項３のいずれかに記載の玉網を限定したものであり、
前記柄(20)の後端(23a)付近には、柄(20)の比重よりも大きな比重の重り(23)を取り付けたことを特徴とする。
「重り」の材質は、柄(20)の材質よりも比重が大きい、例えば、真鍮などの合金である。
なお、柄(20)は、木材、合成樹脂などが一般に選択される。高級品では黒檀など、木材の中では比重が大きなものが採用される場合もある。
【００１６】
（作用）
柄(20)の後端(23a)付近に、重り(23)を取り付ければ、網部と柄とのバランスを容易に保つことができる。
また、柄(20)の形状に関して、柄(20)の後端側に偏るような形状に設計しなければならないという制限が小さくなり、設計自由度が向上する。
【００１７】
（請求項５）
請求項５記載の発明は、請求項４に記載の玉網を限定したものであり、  前記重り(23)は、前記柄(20)に対して着脱自在に形成されていることを特徴とする。
「着脱自在」とする構造としては、例えばネジ止めである。重りおよびそれを締結するネジなどは、さびにくい材質であることが望ましい。
【００１８】
（作用）
重り(23)が柄(20)に対して着脱自在となっているので、質量の異なる重りを付けることができる。このため、玉網の操作性に関して、釣り人の個人的な好みへの適正化（いわゆるカスタマイズ）に対応可能となる。
すなわち、玉網の操作性に関する適正さは、個々の釣り人によって微差がある。立ち上げ操作が早めを好む人もいれば、遅めを好む人もいる。本請求項に記載の玉網によれば、このような個々の嗜好に応じて容易に変更可能となる。
【発明の効果】
【００１９】
請求項１から請求項５に記載の発明によれば、釣り人が飛んでくる魚を受け止める際に、網部を立ち上げて構える操作を容易に行うことができる玉網を提供することができた。
【発明を実施するための最良の形態】
【００２０】
本発明の実施の形態について、図面を参照させながら説明する。ここで使用する図面は、図１から図６である。
本発明では鮎の友釣りを例として説明していく。
【００２１】
これらの図において、本発明に係る玉網１は、釣った鮎やおとり鮎を入れておくための網部１０と、この網部１０に取り付けられた柄２０からなる。
網部１０は、袋状に形成された網状体１２と、この網状体１２が広がった状態で網状体１２を保持可能な枠体１６を備えている。網状体１２は、網状体１２の下方にあたる略円形の底部１２ａと、その底部１２ａの円周から立設された側部１２ｂと、その側部１２ｂから上方に向かって円形の網部開口部５０とを有し、全体として袋状に形成されている。
網部開口部５０は、底部１２ａに対向配置された略円形の枠体１６に沿って取り付けられる。そして、網部１０内に掬った魚を収納できるようになっている。網状体１２は、例えば、ナイロン等の合成樹脂やゴムや木綿等の天然材料で形成され、枠体１６は金属や合成樹脂や天然の木材等で形成されている。
【００２２】
柄２０は、枠体１６の円周の側面から略水平に延びた柄本体部２１からなる。柄本体部２１は、例えば、合成樹脂や金属や天然の木材を用いて形成され、網部１０の網部開口部５０の直径よりも短く形成されている。
【００２３】
柄本体部２１は、枠体１６の円周上の一面である前端２２ａ（網部側）に、枠体１６に固定される取付部２２を有し、その取付部２２とは反対側となる柄本体部２１の後端２３ａに、重り２３を備えている。つまり、後端２３ａは網部１０から離れるように、柄２０の柄本体部２１が延長され、柄２０は、網部１０の網部開口部５０を水平にした時に、後端２３ａ側になるにつれて下方に傾斜している。また、柄本体部２１の後端２３ａは、下方に湾曲する湾曲部２３ｂが形成されている。これは、釣り人が玉網１をベルト６０に狭持したときに、抜止めとなって誤って脱落することを防止している。
【００２４】
取付部２２は、図２の部分拡大図に示すように、枠体１６の両端部１６ａが柄２０側に向かって折り曲げられて取付部２２に差し込み固定されている。なお、網部１０の長さは、網部１０の先端から枠体１６の形状が取付部２２内でそのまま延長されたと仮定した仮想線Ｋの最も柄に近い後端までとする。また、これによって柄２０の長さは、この位置（２２ａ）から測定する。
【００２５】
重り２３は、柄本体部２１より大きな比重を有する材料、例えば金属で形成され、ネジ等によって柄本体部２１に着脱自在に取り付けられるようにしている。このため、玉網１の重心は少なくとも柄２０の位置に配される。
重り２３は、図１の部分拡大図に示すように、柄本体部２１の後端２３ａに、重り２３が予め固定された螺子杆２３ｂを接続させている。この重り２３は、柄本体部２１に螺子杆２３ｂによって接続されるので、比重や質量が異なる他の重さの重りと着脱自在に交換できる。このため、玉網１の重心Ｇを自由に変えることができる。これにより、釣り人の嗜好に応じた最適な重りを付けることができるので、玉網１のカスタマイズに寄与する。玉網の操作性は、釣り人個々に異なるからであり、玉網１の立ち上げ操作が早めを好む人もいれば、遅めを好む人もいるからである。
【００２６】
重心Ｇは、柄２０の全長の前方側６．３％よりも後端側に配される場合が好ましい。最適値は６．３％から２３．８％までである。また、玉網１の重量は１００ｇ以上３３０ｇ以下が操作性も良くなり好ましい。なお、１００ｇ以上としているのは、強度が期待できる値として導いている。
【００２７】
上記の範囲から、玉網１の重心Ｇは、握持する柄２０に存在すること（少なくとも握持する部分の最も前端側には重心が配されること）が好ましいとの結論を得た。ところが、従来の玉網はベルトから玉網を引き抜いて網部を上方に立ち上げて構える時に、網部の立ち上げ操作が遅れるため、これらを調べると全て重心は網部側に配されていた。（ただし、磯釣りに使用するような網部よりも柄が長い玉網は除いている。）
【００２８】
重り２３は着脱自在であるとして前述したが、接着等の手段によって柄２０に対して固定し、着脱できないようにしても良い。ただし、その場合、予め重り２３が着脱不能に固定されているのではなく、釣り人が選択した重り２３を着脱不能に固定することができるように形成されていることが、より好ましい。
【００２９】
重り２３を省略することも可能である。例えば、柄２０の形状が網部２０から離れるほど太くなるような形状に設計することによって、柄２０の後端２３ａに偏るように形成し、玉網１の重心Ｇが上記範囲内になるようにしてもよい。
【００３０】
（玉網の使用方法）
ここで、玉網１の使い方について図３から図５を参照して説明する。
釣り人は、魚が掛かかったら、釣竿を立てて魚を水面に浮かせ、次に魚を水面から引き上げる。そして、自分の手元にぶら下がる魚を引き寄せる。この動作をしながら、図３のように柄２０の前端２２ａ側を柄２０の下側から握持し、玉網１をベルト６０から引き抜く。ただし、玉網１は網部１０が前方に突出するようにベルト６０に狭持されているため、玉網１を取り出す時は、柄２０の前端２２ａ側を握持する。つまり、図３に示すように、柄２０の下側に手の平を当て握持するのである。そして、枠体１６の網部開口部５０を自分の前方（飛んでくる魚の方向）に向けて網体側を立ち上げて構える。
【００３１】
そして、魚が水面に浮かんできた時に、釣竿７０をさらに立てて魚を釣り上げ、宙を飛ばすようにして手元に寄せる。このとき、ベルト６０から引き抜いた玉網１は、網部１０側を上にして網部開口部５０を魚の方に向けて構え、引き寄せた魚を玉網１で受け止める。
【００３２】
なお、玉網１を使用する際、釣り人の多くは柄２０の前端２２ａにおけるおよそ１０ｃｍの領域を握持することが分かっている。また、重心Ｇが柄２０の後端２３ａになるにしたがって、玉網１の立ち上がりが早くなることが考えられる。
【実施例】
【００３３】
本願発明者は、さらに最適な重心位置を調べるため、以下の調査を行った。
まず、一般的な鮎釣り用玉網（重量２１０ｇ、全長７０．５ｃｍ、網部長さ３９．０ｃｍ、柄の長さ３１．５ｃｍ）の柄の後端に、重量の異なる複数の重りを取り付けて重心位置を変化させた。
【００３４】
１個１５ｇの重りを取り付けた『玉網Ａ』、１個３０ｇの重りを取り付けた『玉網Ｂ』、  １個４５ｇの重りを取り付けた『玉網Ｃ』、１個６０ｇの重りを取り付けた『玉網Ｄ』、  １個７５ｇの重りを取り付けた『玉網Ｅ』、１個９０ｇの重りを取り付けた『玉網Ｆ』、  １個１０５ｇの重りを取り付けた『玉網Ｇ』、１個１２０ｇの重りを取り付けた『玉網Ｈ』、１個１３５ｇの重りを取り付けた『玉網Ｉ』をそれぞれ用意した。
【００３５】
そして、これらを鮎釣り経験のある１０人の釣り人によって、ベルト６０に狭持した玉網１を引き抜いて網部１０を上方に立ち上げて構える操作を行ってもらい、その時の操作性についての評価データを取得した。これが図４の表１である。
【００３６】
なお、玉網１の全長は、網部開口部５０を水平とした時の玉網全長の水平長さとした。網部１０は網部開口部５０の前後長さで、網部前端から柄２０との接続部において外観できる形状がそのまま延長された部分の後端側とした（開口部が円形の場合、開口部の直径としてもよい）。一方、柄２０は、網部後端を柄の前端とし、網部開口部５０を水平とした時の柄の後端までの水平長さとした。
【００３７】
これによると、網部側に重心がある従来の『玉網』は、全員が「立ち上がりが遅い」と評価した。
『玉網Ａ』は、玉網の重心位置が前方３．２％となって柄に配されている。この場合、「立ち上がりが遅い」と３人が評価し、「やや立ち上がりが遅い」と７人が評価した。
『玉網Ｂ』は、玉網の重心位置が前方６．３％となって柄に配されている。この場合、「やや立ち上がりが遅い」と３人が評価し、「立ち上げ操作がしやすい」と７人が評価した。
『玉網Ｃ』は、玉網の重心位置が前方１１．１％となって柄に配されている。この場合、「やや立ち上がりが遅い」と２人が評価し、「立ち上げ操作がしやすい」と８人が評価した。
『玉網Ｄ』は、玉網の重心位置が前方１５．９％となって柄に配されている。この場合、「立ち上げ操作がしやすい」と１０人が評価した。
『玉網Ｅ』は、玉網の重心位置が前方１９．０％となって柄に配されている。この場合、「立ち上げ操作がしやすい」と１０人が評価した。
『玉網Ｆ』は、玉網の重心位置が前方２２．２％となって柄に配されている。この場合、「立ち上げ操作がしやすい」と７人が評価し、「やや立ち上がりが早い」と３人が評価した。
『玉網Ｇ』は、玉網の重心位置が前方２３．８％となって柄に配されている。この場合、「立ち上げ操作がしやすい」と６人が評価し、「やや立ち上がりが早い」と４人が評価した。
『玉網Ｈ』は、玉網の重心位置が前方２７．０％となって柄に配されている。この場合、「やや立ち上がりが早い」と８人が評価し、「立ち上がりが早い」と２人が評価した。
『玉網Ｉ』は、玉網の重心位置が前方３１．２％となって柄に配されている。この場合、「立ち上がりが早い」と１０人が評価した。
【００３８】
上記の評価データから以下のように判断した。
１．『玉網Ａ』と『玉網Ｈ』は、立ち上がりについて不満はあるが、一応の効果が上がっている。
２．『玉網Ｂ』、『玉網Ｃ』、『玉網Ｄ』、『玉網Ｅ』、『玉網Ｆ』、『玉網Ｇ』は、立ち上げ操作がしやすいとする人が多く、明確に効果が出た範囲である。その中で、１０人全員が「立ち上げ操作がしやすい」と評価された『玉網Ｄ』及び『玉網Ｅ』は最適である。
これらの玉網の重心位置は、釣り人の多くが握持する領域とほぼ一致し、重心Ｇが握持した手の人差し指または中指の付け根に位置すると最もバランスが良く、立ち上げ操作がしやすくなるからである（この状態が『玉網Ｄ』及び『玉網Ｅ』である）。
３．『玉網Ｉ』は、立ち上がりの早さでは効果がある。しかし、早すぎて操作性が良好とはいえない。また、玉網重量が３４５ｇとなって重いことも操作性に影響していることが分かった。
【００３９】
この結果、重心Ｇが柄２０にあると良く、さらに重心Ｇが柄２０の前方側６．３％から２３．８％の間に配されていると最適であることが分かった。すなわち、この範囲で形成された玉網は、飛んでくる魚を受け止める際に、網部を上方に立ち上げて構える操作を容易に行うことができることとなる。
【図面の簡単な説明】
【００４０】
【図１】玉網の構造を示した側面図である。
【図２】玉網の構造を示した平面図である。
【図３】釣り人が玉網の柄を握持した状態を示す平面図である。
【図４】玉網に異なる重量の重りを付加して重心位置を測定し、釣り人の操作性評価データを示した表である。
【図５】釣り人の釣竿に魚が掛かり、玉網で保持する前の体勢を示した図である。
【図６】釣り人の釣竿に魚が掛かり、玉網を立てて魚を保持する体勢を示した図である。
【符号の説明】
【００４１】
１  玉網                  １０  網部
１２  網状体              １２ａ  底部
１２ｂ  側部
１６  枠体
２０  柄                  ２１  柄本体
２２  取り付け部
２３  重り                ２３ｂ  湾曲部
２４  螺子杆
５０  網部開口部
６０  ベルト              ７０  釣竿
８０  おとり鮎            ８１  野鮎
Ｇ  重心                  Ｋ  仮想線
【図１】
2007195499.tif 000003
【図２】
2007195499.tif 000004
【図３】
2007195499.tif 000005
【図４】
2007195499.tif 000006
【図５】
2007195499.tif 000007
【図６】
2007195499.tif 000008